(57)【要約】【課題】スピニングリールのリール本体において、リール本体の大型化を防止する。【解決手段】本体部材２０の後端部には、収納空間２ｅと外部とを連通し螺軸１６の端部を支持するための第１孔部２０ａが形成されている。蓋部材２１の後端部の本体部材２０の第１孔部２０ａ近傍には、後方に突出して形成され、内側に係止孔２１ｂを有する略コ字状の係止部２１ａが形成されている。本体部材２０の後端部には、第１孔部２０ａを覆うように閉塞部材５０がねじ部材６０により固定されている。閉塞部材５０は、一部が螺軸１６の中心軸と直交しかつ横方向に突出するように形成された被係止部５０ａを有する板状部材である。被係止部５０ａは、係止部２１ａの係止孔２１ｂに挿入されるようにして係止される。【選択図】　　　図４
2004065037.tif 000002
【特許請求の範囲】
【請求項１】
外周に螺旋状溝が形成された螺軸と前記螺軸に沿って前後移動するスライダとを有するオシレーティング機構が収納される収納空間を有するスピニングリールのリール本体であって、
釣竿に装着される竿取付脚部と、
前記竿取付脚部と連設され、前記収納空間と外部とを連通し前記螺軸の端部を支持するための第１孔部と、前記第１孔部の近傍に設けられた係止部とを有するリールボディと、
前記係止部に係止された状態で前記係止部とともに前記螺軸に作用するスラスト力を受けることが可能な被係止部が形成され、前記第１孔部を閉塞する閉塞部材と、
を備えたスピニングリールのリール本体。
【請求項２】
前記リールボディは、側部が開口する前記収納空間を内部に有する本体部材と、前記本体部材の開口を覆うように着脱自在に前記本体部材にねじ止めされる蓋部材とを有しており、
前記第１孔部は前記本体部材に設けられている、請求項１に記載のスピニングリールのリール本体。
【請求項３】
前記係止部は前記蓋部材に設けられ、前記閉塞部材は前記本体部材にねじ止めされている、請求項２に記載のスピニングリールのリール本体。
【請求項４】
前記係止部は前記本体部材及び前記蓋部材に設けられている、請求項２に記載のスピニングリールのリール本体。
【請求項５】
前記係止部は、前記リールボディの外方に突出して形成され、内側に係止孔を有する略コ字状部分であり、
前記被係止部は、前記閉塞部材の側方に突出して形成され、前記係止孔に挿入されて係止される、請求項１から４のいずれかに記載のスピニングリールのリール本体。
【請求項６】
前記係止部は前記リールボディの一部が切り欠かれた溝部であり、
前記被係止部は、前記閉塞部材の側方に鉤状に突出して形成され、前記溝部に挿入されて係止される、請求項１から４のいずれかに記載のスピニングリールのリール本体。
【請求項７】
前記オシレーティング機構は、前記スライダが移動自在に装着され、前記螺軸と平行に配置されたガイド軸をさらに備え、
前記リールボディは前記ガイド軸の端部を支持するため第２孔部が形成されている、請求項１から６のいずれかに記載のスピニングリールのリール本体。
【請求項８】
前記竿取付脚部は前記本体部材と一体成形されている、請求項２から７のいずれかに記載のスピニングリールのリール本体。
【請求項９】
前記竿取付脚部は前記蓋部材と一体成形されている、請求項２から７のいずれかに記載のスピニングリールのリール本体。
【発明の詳細な説明】
【０００１】
【発明の属する技術分野】
本発明は、リール本体、特に、内部にオシレーティング機構が収納される収納空間を有するスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形されたリールボディとを備えている。リールボディは、外周に螺旋状溝が形成された螺軸と、螺軸に沿って前後移動するスライダとを有するオシレーティング機構が内部に収納されている。また、リールボディは、側部が開口する収納空間を内部に有する本体部材と、本体部材の開口を覆うように着脱自在に本体部材に装着された蓋部材とを有している。蓋部材は本体部材にねじ止め固定されている。本体部材の後端部にはオシレーティング機構の螺軸の端部が支持される孔部が形成されている。このようなスピニングリールでは、孔部から螺軸を組み込んだ後、孔部を閉塞するために、閉塞部材が本体部材にねじ止め固定されている。
【０００４】
【発明が解決しようとする課題】
前記従来のスピニングリールでは、螺軸の端部が支持される孔部を閉塞する閉塞部材が本体部材にねじ止め固定されている。ここでは、一般に、スプールの前後方向のスラスト力がスプール軸を介して螺軸に集中して作用する。このように、スラスト力が螺軸に集中して作用すると、螺軸の端部を介して閉塞部材が後方に押され、閉塞部材を固定するねじ部材にスラスト力が作用する。このため、作用するスラスト力に応じて、径の大きなねじ部材を採用する必要が生じる。しかし、径の大きいねじ部材を用いると、リール本体の大型化を招くおそれがある。
【０００５】
本発明の課題は、スピニングリールのリール本体において、リール本体の大型化を防止することにある。
【０００６】
【課題を解決するための手段】
発明１に係るスピニングリールのリール本体は、外周に螺旋状溝が形成された螺軸と螺軸に沿って前後移動するスライダとを有するオシレーティング機構が収納される収納空間を有するスピニングリールのリール本体であって、釣竿に装着される竿取付脚部と、竿取付脚部と連設され収納空間と外部とを連通し螺軸の端部を支持するための第１孔部と、第１孔部の近傍に設けられた係止部とを有するリールボディと、係止部に係止された状態で係止部とともに螺軸に作用するスラスト力を受けることが可能な被係止部が形成され第１孔部を閉塞する閉塞部材とを備えている。
【０００７】
このリール本体では、リールボディには第１孔部の近傍に係止部が設けられ、閉塞部材には係止部に係止可能な被係止部が形成されている。ここでは、係止部に係止された状態で係止部とともに螺軸に作用するスラスト力を受けることが可能な被係止部が形成されているので、螺軸にスラスト力が作用してもそれを被係止部で受けることができる。このため、従来のように径の大きいねじ部材を用いる必要がないので、リール本体の大型化を防止できる。
【０００８】
発明２に係るリール本体は、発明１のリール本体において、リールボディは、側部が開口する収納空間を内部に有する本体部材と、本体部材の開口を覆うように着脱自在に本体部材にねじ止めされる蓋部材とを有しており、第１孔部は本体部材に設けられている。この場合、オシレーティング機構は本体部材の収納空間に収納され、第１孔部は本体部材に設けられているので、本体部材または蓋部材に係止部を設けることにより、本体部材の大型化を防止できる。
【０００９】
発明３に係るリール本体は、発明２のリール本体において、係止部は蓋部材に設けられ、閉塞部材は本体部材にねじ止めされている。この場合、蓋部材に係止部が設けられているので、たとえば本体部材に蓋部材を装着したときに被係止部に係止部を係止させることにより、本体部材の大型化を確実に防止できる。
発明４に係るリール本体は、発明２のリール本体において、係止部は本体部材及び蓋部材に設けられている。この場合、本体部材及び蓋部材にそれぞれ係止部が設けられているので、リール本体の大型化を容易に防止できる。
【００１０】
発明５に係るリール本体は、発明１から４のリール本体において、係止部はリールボディの外方に突出して形成され内側に係止孔を有する略コ字状部分であり、被係止部は閉塞部材の側方に突出して形成され係止孔に挿入されて係止される。この場合、係止孔に被係止部を挿入することにより、係止部の係止が容易になる。
【００１１】
発明６に係るリール本体は、発明１から４のリール本体において、係止部はリールボディの一部が切り欠かれた溝部であり、被係止部は閉塞部材の側方に鉤状に突出して形成され溝部に挿入されて係止される。この場合、溝部に鉤状の被係止部を挿入することにより、係止部の係止が強固になる。
発明７に係るリール本体は、発明１から６のリール本体において、オシレーティング機構は、スライダが移動自在に装着され、螺軸と平行に配置されたガイド軸をさらに備えている。リールボディはガイド軸の端部を支持するため第２孔部が形成されている。この場合、リールボディには複数の第２孔部が形成されているので、複数のガイド軸を容易に支持できる。
【００１２】
発明８に係るリール本体は、発明２から７のリール本体において、竿取付脚部は本体部材と一体成形されている。この場合、竿取付脚部と本体部材とが一体成形されているので、蓋部材の構成が簡素になる。
発明９に係るリール本体は、発明２から７のリール本体において、竿取付脚部は蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【００１３】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
リール本体２は、図２に示すように、リールボディ２ａと、リールボディ２ａから斜め上前方に延びる竿取付脚２ｂとを有している。リールボディ２ａの内部には、図２に示すように、収納空間２ｅを有しており、その収納空間２ｅには、ロータ３をハンドル１の回転に連動して回転させるロータ駆動機構５と、スプール４を前後に移動させて釣り糸を均一に巻き取るためのオシレーティング機構６とが設けられている。
【００１５】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１６】
第２ロータアーム３２は、円筒部３０から外方に凸に湾曲して前方に延びている。第２ロータアーム３２は、円筒部３０から外方に凸に湾曲して前方に延びており、円筒部３０との接続部は円筒部３０の周方向に広がり湾曲している。第２ロータアーム３２の先端内周側には、第２ベール支持部材４２が揺動自在に装着されている。
【００１７】
ラインローラ４１と第２ベール支持部材４２との間には線材を略Ｕ状に湾曲させた形状のベール４３が固定されている。これらの第１ベール支持部材４０及び第２ベール支持部材４２、ラインローラ４１、ベール４３により釣り糸をスプール４に案内するベールアーム４４が構成される。ベールアーム４４は、図２に示す糸案内姿勢とそれから反転した糸開放姿勢との間で揺動自在である。
【００１８】
スプール４は、図２に示すように、ロータ３の第１ロータアーム３１と第２ロータアーム３２との間に配置されている。スプール４は、たとえばアルミニウム合金を鍛造成形して得られた大小２段の円筒状の部材であり、外周に釣り糸が巻かれる筒状の糸巻胴部４ａと、糸巻胴部４ａの後部に一体成形された大径筒状のスカート部４ｂとを有している。
【００１９】
ロータ駆動機構５は、図２に示すように、ハンドル１が連結されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。ピニオンギア１２の前部には所定長さの平行な面取り部が形成されている。ピニオンギア１２の面取り部は、ロータ３をピニオンギア１２に回転不能に連結するために形成されている。
【００２０】
オシレーティング機構６は、図２に示すように、スプール４の中心部にドラグ機構８を介して連結されたスプール軸１５を前後方向に移動させてスプール４を同方向に移動させるための機構である。オシレーティング機構６は、スプール軸１５の下方に平行に配置され外周に螺旋状溝１６ａが形成された螺軸１６と、螺軸１６に沿って前後方向に移動するスライダ１７と、螺軸１６の先端に固定された中間ギア１８と、スライダ１７が移動自在に装着され螺軸１６と平行に配置された２本のガイド軸１９ａ、１９ｂとを有している。スライダ１７にはスプール軸１５の後端が回転不能に固定されている。中間ギア１８は図示しない減速機構を介してピニオンギア１２に噛み合っている。
【００２１】
リールボディ２ａは、図１及び図２に示すように、竿取付脚２ｂと一体成形された側部が開口し内部に収納空間２ｅを有する本体部材２０と、本体部材２０側部の開口を塞ぐように本体部材２０にねじ止めされる蓋部材２１と、蓋部材２１に着脱可能に取り付けられる小蓋部材２２と、本体部材２０及び蓋部材２１の後方外形に沿って装着されるカバー部材２３とを有している。
【００２２】
カバー部材２３は、図２に示すように、本体部材２０及び蓋部材２１の下部から後部さらに竿取付脚２ｂにかけてリール本体２を覆うように配置されている。カバー部材２３は、本体部材２０及び蓋部材２１の突き合わせ接合される接合面の３箇所にてねじ部材７０、７１、７２により着脱自在に固定されている。ねじ部材７１は、本体部材２０及び蓋部材２１に回転不能かつ軸方向移動不能に装着されたナット部材２５にねじ込まれている。
【００２３】
本体部材２０の後端部には、図３及び図４に示すように、収納空間２ｅと外部とを連通し螺軸１６の端部を支持するための第１孔部２０ａと、ガイド軸１９ａ、１９ｂの端部を支持するため第２孔部２０ｂ、２０ｃとが形成されている。蓋部材２１の後端部の本体部材２０の第１孔部２０ａ近傍には、図３及び図４に示すように、後方に突出して形成され、内側に係止孔２１ｂを有する略コ字状の係止部２１ａが形成されている。本体部材２０の後端部には、これら第１孔部２０ａ及び第２孔部２０ｂ、２０ｃを覆うように閉塞部材５０がねじ部材６０により固定されている。
【００２４】
閉塞部材５０は、図４に示すように、一部が螺軸１６の中心軸と直交しかつ横方向に突出するように形成された被係止部５０ａを有する板状部材である。被係止部５０ａは、係止部２１ａの係止孔２１ｂに挿入されるようにして係止される。
このように構成されたスピニングリールでは、蓋部材２１に係止部２１ａが設けられ、閉塞部材５０には係止部２１ａに係止可能な被係止部５０ａが形成されている。そして、被係止部５０ａが係止部２１ａの係止孔２１ｂに挿入されて係止した状態では、螺軸１６にスラスト力が作用してもそれを被係止部５０ａ及び係止部２１ａによって受けることができる。このため、従来のように径の大きいねじ部材を用いる必要がないので、リール本体２の大型化を防止することができる。
【００２５】
〔他の実施形態〕
（ａ）　前記実施形態では、閉塞部材５０は本体部材２０の後端部を覆っていたが、本体部材２０から蓋部材２１にわたって覆うようにしてもよい。
（ｂ）　図５に示すように、係止部２１ａは蓋部材２１の内側に形成された溝部２１ｃであって、被係止部５０ａは閉塞部材５０の側方に鉤状に突出して形成された鉤状部５０ｃであってもよい。
【００２６】
（ｃ）　前記実施形態では、閉塞部材５０はねじ部材６０によって固定されていたが、図６に示すように、本体部材２０の後方に略コ字状に突出し内側に係止孔２０ｅを有する係止部２０ｄを形成し、閉塞部材５０に形成された被係止部５０ｂを係止部２０ｄの係止孔２０ｅに係止して固定するようにしてもよい。
（ｄ）　前記実施形態では、本体部材２０が竿取付脚２ｂと一体成形されていたが、蓋部材２１が竿取付脚２ｂと一体成形されていてもよい。
【００２７】
【発明の効果】
本発明によれば、スピニングリールのリール本体において、リールボディに係止部が設けられるとともに、閉塞部材には係止部に係止可能な被係止部が形成され、これらの係止構造によって螺軸のスラスト力を受けるようにしたので、閉塞部材を固定する径の大きいねじ部材が不要となり、リール本体の大型化を防止できる。
【図面の簡単な説明】
【図１】本発明の一実施形態を採用したスピニングリールの左側面図。
【図２】前記スピニングリールの左側面断面図。
【図３】前記スピニングリールの背面図。
【図４】閉塞部材周辺の拡大斜視図。
【図５】他の実施形態の図４に相当する図。
【図６】他の実施形態の図４に相当する図。
【符号の説明】
２　リール本体
２ａ　リールボディ
２ｂ　竿取付脚
６　オシレーティング機構
１６　螺軸
１６ａ　螺旋状溝
１７　スライダ
１９ａ、１９ｂ　ガイド軸
２０　本体部材
２０ａ　第１凹部
２０ｂ、２０ｃ　第２凹部
２１　蓋部材
２１ａ　係止部
５０　閉塞部材
５０ａ　被係止部
【図１】
2004065037.tif 000003
【図２】
2004065037.tif 000004
【図３】
2004065037.tif 000005
【図４】
2004065037.tif 000006
【図５】
2004065037.tif 000007
【図６】
2004065037.tif 000008